(57)【特許請求の範囲】
【請求項１】
化粧皿を収納し外周に突起を有する環状筒を立設した容器本体と、前記容器本体の後端部に蝶着された蓋体とを有してなるコンパクト容器において、係合突条を周壁内面に有する中蓋が、前記蓋体の裏面に前後方向に滑動可能に取り付けられ、前記突起に前記係合突条を係合して前記環状筒に係脱可能に外嵌されていることを特徴とするコンパクト容器。
【請求項２】
前記中蓋の周壁の前方に指掛け部が一体に設けられていることを特徴とする請求項１記載のコンパクト容器。
【発明の詳細な説明】
【０００１】
【産業上の利用分野】
本発明は、揮発性化粧料や半流動性の化粧料を収納するのに好適なコンパクト容器に係わり、詳しくは化粧料収納部を閉塞する中蓋を付設した気密性にすぐれたコンパクト容器に関する。
【０００２】
【従来の技術】
気密性を必要とする化粧料収納部を中蓋で閉塞したコンパクト容器として、例えば、実開平４ー３１６号公報に開示されたコンパクト容器がある。
【０００３】
この従来のコンパクト容器は、図１１に示すように、上面に開口する収納室５１を有する容器本体５２の上面を覆う蓋体５３を具備してなるコンパクト容器において、前記蓋体５３の裏面には前記収納室５１を覆う中蓋５４が取り付けられ、この中蓋５４は外部からの操作により前記蓋体５３の裏面に沿って回動可能とされ、当該中蓋５４の周壁５５と前記収納室５１の周壁５６とは互いに螺子嵌合可能とされた構成とされている。
【０００４】
そして、閉蓋して、中蓋５４を収納室５１に螺子嵌合することにより、容易に収納室５１内の気密性を保持すると同時に、蓋体５３と容器本体５２とを互いに係合させることができる。従って、蓋体５３と容器本体５２との係合手段を別途に設ける必要がないというものである。
【０００５】
【発明が解決しようとする課題】
ところで、上記従来のコンパクト容器においては、中蓋５４は螺子蓋式であるので気密性は良いものの、螺子を回してその嵌合を外さないと、容器本体５２と蓋体５３との係合は解かれないので、開閉操作性がよくなかった。また、中蓋５４は蓋体５３に回動可能に取り付けられているが、取り付けられた位置は不動に固定されているので、蓋体５３を閉めるとき蓋体５３に固定された中蓋５４は、自身の軸線と収納室５１の軸線とが一致した収納室５１の真上からではなく、蓋体５３の蝶番５７の軌道上にあって回動にともなって後方に傾いた姿勢のまま収納室５１に施蓋体勢に入る。従って、まず、中蓋５４の後方側の周壁下端部５８が収納室５１の後方側の周壁５６に強くせり当たり、互いに歪んで無理嵌めしながら中蓋５４と収納室５１との軸線が合致するように螺合されて行くので、施蓋時における操作の円滑性が欠けいてた。
【０００６】
本発明は、上記の問題に鑑みてなされたもので、気密性を必要とする化粧料を中蓋で密封しながら、開閉操作が円滑にできる使い勝手のよいコンパクト容器にすることを課題としている。
【０００７】
【課題を解決するための手段】
そこで、本発明のコンパクト容器では、化粧皿を収納し外周に突起を有する環状筒を立設した容器本体と、前記容器本体の後端部に蝶着された蓋体とを有してなるコンパクト容器において、係合突条を周壁内面に有する中蓋が、前記蓋体の裏面に前後方向に滑動可能に取り付けられ、且つ前記突起に前記係合突条を係合して前記環状筒に係脱可能に外嵌されていることを特徴とすることで、前記課題の解決手段とした。
【０００８】
【作用】
本発明のコンパクト容器においては、環状筒に外嵌する中蓋を蓋体の裏面に滑動可能に取り付けたので、施蓋時において、中蓋が蝶番の回動にともなって蝶番方向に傾いた姿勢のまま中蓋の後方側の周壁下端部が環状筒の外周に当たると、中蓋は環状筒に馴染むように前後方向に滑動しながら円滑に嵌合する。そして、環状筒の突起と中蓋の係合突条とが係合することにより、中蓋と環状筒との軸線が一致し、蓋体に対する中蓋の位置も自動的に固定して、化粧皿が収納された環状筒は中蓋によって気密に閉塞されるとともに、蓋体と容器本体とは閉状態に保持される。また、開蓋時においても、中蓋は開き易い位置に滑動する。
【０００９】
【実施例】
以下、本発明の実施例を添付図面を参照しながら詳細に説明する。
【００１０】
図１乃至図５は本発明の第一実施例を示すもので、本実施例のコンパクト容器は、中枠２が固着されてなる容器本体１と、この容器本体１の上面を覆い天板１１内面から係合ブロック１２が突設された蓋体１０とが各後端部で開閉自在に蝶着されてなり、前記蓋体１０の係合ブロック１２には、中蓋２０が脱抜不能、且つ滑動可能に装着されている。
【００１１】
図に示すように、容器本体１は、後壁中央部に蝶番部を構成する凹所３が設けられたほぼ扁平な有底の箱体からなり、この容器本体１には、化粧用具（図示せず）を納置する収納凹所４と化粧皿５を収納する環状筒６とを画成した中枠２が固着形成されている。そして、環状筒６の前方には、この環状筒６を閉塞する中蓋２０の周壁２２に一体に設けられた指掛け部２３を閉蓋時に嵌挿する凹所８が設けられている。
【００１２】
また、前記環状筒６は、その外周面に中蓋２０の係合突条２１と係合する突起７が所定間隔を置いて複数箇所に突設され、容器本体１の上部開放面よりも突出して中枠２と一体に形成されている。
【００１３】
一方、蓋体１０は、天板１１の周縁から垂設された周壁１３に囲まれた浅い皿状に形成され、後端壁から垂設された蝶番脚１４が容器本体１の凹所３と嵌合して蝶番を構成しているとともに、容器本体の収納凹所４に対応した天板１１の内側には化粧用鏡１５が貼着され、天板１１の環状筒６に対応した箇所には中蓋２０が嵌着する長方形の係合ブロック１２が一体に突出形成されている。
【００１４】
前記係合ブロック１２は前後方向両縁部に突条１６，１６が突設され、天板１１との間に係合溝１７を形成している。
【００１５】
前記中蓋２０は、円形の天板２４の周縁から一体に垂設された周壁２２に囲まれた浅い皿状に形成され、この周壁２５の外周面前方には指掛け部２３が一体に突設されているとともに、内周面の開口部近傍には環状筒６の突起７と係合する係合突条２１が前記突起７と対応した箇所に突設され、この係合突条２１の上部には天板２４の内面に固着されたパッキン２６を支持する支持片２７が係合突条２１と並設されている。
【００１６】
また、中蓋２０の天板２４には、蓋体１０の係合ブロック１２が嵌入する貫通孔２８が貫設され、この貫通孔２８の前後方向の寸法は係合ブロック１２の長さよりも僅かに長く設定されて前後両端側において係合ブロック１２との間に遊隙部２５が形成されており、貫通孔２８によって係合ブロック１２に係着した中蓋２０は蓋体１０に対し前後方向に僅かに滑動可能に取り付けられている。
【００１７】
以上のように構成された本実施例のコンパクト容器にあっては、これを閉蓋すると、蓋体１０の天板１１の内面に取り付けられた中蓋２０は、蓋体１０の蝶番部１４の軌道上にあって回動に伴って後方に傾いた姿勢のまま容器本体１との開き角度を減少しながら閉蓋体勢に入り、図５に於いて二点鎖線で示すように、中蓋２０の後方側の周壁２２の下端部２２ａが環状筒６の外周に当たるが、中蓋２０は環状筒６に馴染むように蓋体１０の天板１１の裏面に沿い僅かに前後方向に滑動しながら円滑に嵌合する。
【００１８】
そして、環状筒６の突起７と中蓋２０の係合突条２１とが係合することにより、中蓋２０と環状筒６の軸線が互いに一致し、蓋体１０に対する中蓋２０の位置も自動的に固定され、化粧皿５が収納された環状筒６はパッキン２６が蝶着された中蓋２０によって気密に閉塞されるとともに、蓋体１０と容器本体１とは閉状態に保持される。
【００１９】
従って、無理なく突起７と係合突条２１とを係合させて施蓋できるとともに、蓋体１０と容器本体１とに施蓋用の係合フックを設けることなく、中蓋２０と容器本体１に固着した中枠２の環状筒６の係合機構を使って閉状態に保つことができる。
【００２０】
また、本実施例のコンパクト容器を開蓋するときは、中蓋２０の前方に一体に突設された指掛け部２３の下端２３ａに手指を掛けて押し上げると、力は直接中蓋２０にかかるとともに中蓋２０は閉蓋時と逆の動きをして開きやすい位置に滑動するので、容易且つ円滑に開放することができるものである。
【００２１】
上述したように、本実施例のコンパクト容器は、中蓋２０を蓋体１０に前後方向に滑動可能に設けた構成にしたことにより、蓋体１０の開閉操作が円滑になるばかりでなく、コンパクト容器の組立工程に於ける蝶番部の前後方向の組立誤差も吸収できるので、組立作業を容易にすることができるものである。
【００２２】
本発明のコンパクト容器は、以上の実施例に限るものではなく、コンパクト容器の開放手段を付設したり、形態を変えたりして多様な態様のコンパクト容器にすることが可能である。
【００２３】
図６は、本発明のコンパクト容器の第二実施例を示すものである。以下、図において、上記第一実施例と共通する部分については同一符合を付してその説明を省略する。
【００２４】
同図に示すように、この第二実施例のコンパクト容器は、開放手段として好適な押し釦１９を装着したしたもので、第一実施例と同様に、蓋体１０に滑動可能に取り付けられた中蓋２０に一体に突設された指掛け部２３が蓋体１０の周壁１３正面下部に露出して位置しており、この指掛け部２３の上方にあって蓋体１０の上面側縁部から周壁１３にかけて切り欠かれた凹所１８が設けられ、この凹所１８には蓋体１０の表裏に貫通する貫通孔より突出して容器本体１の上面に当接する当接板１９ａを備えた押し釦１９が上下動自在に装着されている。
【００２５】
上記のように構成された本実施例のコンパクト容器は、蓋体１０を開放するときは、指掛け部２３の下端部２３ａと押し釦１９とを指で挟むように摘むことにより、当接板１９ａによって容器本体１の上面を突いて中蓋２０の係合突条２１と容器本体１の突起７との係合を外すとともに、指掛け部２３を押し上げる一連の操作で開蓋させるものである。この押し釦１９に加えた押圧力は開蓋力として直接中蓋２０に作用し、且つ中蓋２０は蓋体１０の開き易い位置に滑動可能であるので、開蓋が円滑且つ容易になり、押し釦１９を装着したことにより操作性が向上する。
【００２６】
図７は、本発明のコンパクト容器の第三実施例を示すもので、同図に示すように、この第三実施例のコンパクト容器は、容器本体１の前方の凹所８内に容器本体１の上面と面一且つ環状筒６の基端に沿って延びる平坦な押し上げ面１９ｂを有する押し釦１９が縦回動自在に装着されており、一方、中蓋２０の周壁２２前方には前記押し上げ面１９ｂと当接する広幅の受け面２２ｂが形成されてなるもので、中蓋２０は蓋体１０に第一実施例と同様の手段で滑動可能に装着されている。
【００２７】
前記押し釦１９の前面を押圧すると、押し上げ面１９ｂが受け面２２ｂに当接して直接中蓋２０に作用するとともに、中蓋２０は蓋体１０の開き易い位置に滑動可能であるので、中蓋２０の係合突条２１と容器本体１の突起７との係合の解除が容易になる。そして、大きな開きストロークを有する押し上げ面１９ｂによって蓋体１０は大きく開放されるので、蓋体１０下面に指を掛ける次ぎの操作が容易になる。
【００２８】
また、上記実施例の押し釦１９の位置は容器本体１の正面に限るものではなく、図８に第四実施例として示すように、容器本体１の正面から少し外れた側面に設けることにより、中蓋２０と容器本体１との係合を外したときの蓋体１０の開き角度を更に大きくすることができるとともに、変化のあるデザインにすることができる。
【００２９】
また、上記本発明の何れの実施例も、容器本体１と蓋体１０とからなる平板状のコンパクト容器として説明したが、本発明のコンパクト容器は、図９に第五実施例として示すように、二段重ねのコンパクト容器にすることもできる。
【００３０】
即ち、中蓋２０が滑動可能に取り付けられた蓋体１０と、化粧皿５が収納され環状筒６を立設した容器本体１と、パフ収納ケース９との各後端部を蝶着してなるもので、中蓋２０の係合突条２１と容器本体１の突起７とが係合するとともに、中蓋２０の前方に設けられた指掛け部２３の内側に突設されたフック２３ｂと前記パフ収納ケース９の周壁前端に設けられたフック１９ａとが係合して本実施例のコンパクト容器は構成されている。
【００３１】
以上のように、二段に重なったそれぞれの収納容器１，９に中蓋２０及び中蓋２０に一体に形成された指掛け部２３が係合するものであるが、蓋体１０の開閉時において、中蓋２０は滑動可能に設けられているので、中蓋２０は最も開閉し易い位置に馴染み動いて、無理な力を使うことなく操作できる。
【００３２】
更に、本発明のコンパクト容器は、図１０に於いて第六実施例として示すように、コンパクト容器が方形の場合には、中蓋２０の前後方向の寸法を蓋体１０の前後方向の内径寸法よりも僅かに短寸に設定し、蓋体１０と中蓋２０との係着機構２９を中蓋２０の周壁２２の外側面と蓋体１０の周壁１３内側面とに対向して設け、蓋体１０内に中蓋２０を前後方向に滑動可能に嵌め込んだ構成としてもよい。
【００３３】
前記係着機構２９は、蓋体２０と中蓋１０との両側壁に突条を設けて脱抜不能、且つ滑動可能に係合させたものや、凹溝とこれに滑動可能に嵌り合う凹溝よりも短寸の突条とで構成するなど、周知の係着機構が採用されている。
【００３４】
以上のように構成された本実施例のコンパクト容器の作用や効果は、第一実施例と同様であるので、その説明を省略する。
【発明の効果】
本発明のコンパクト容器によれば、環状筒に外嵌する中蓋を蓋体の裏面に滑動可能に取り付けたので、施蓋時において、中蓋は環状筒に馴染むように前後方向に滑動しながら円滑に嵌合する。従って、無理なく中蓋で化粧皿を密封できるとともに、中蓋と容器本体の係合機構でコンパクト容器を閉状態に保つことができる。
【００３５】
また、開蓋時においても、中蓋は開き易い位置に滑動できるとともに、中蓋に直接力が作用する構成としたので、開蓋操作が容易且つ円滑になる。
【００３６】
更に、コンパクト容器の組立時に於ける組立誤差も吸収できる構造であるので、組立作業が容易になる効果を有する。
【００３７】
そして、コンパクト容器の開放手段を多彩に付設したり、形態を変えたりして多様なコンパクト容器にすることが可能であり、デザインの自由度が大きいものである。
【図面の簡単な説明】
【図１】本発明のコンパクト容器の第一実施例を示す分解斜視図。
【図２】同実施例の閉蓋状態の斜視図。
【図３】図２のＡーＡ矢視拡大断面図。
【図４】図２のＢーＢ矢視拡大断面図。
【図５】同実施例の作動状態を示す説明図。
【図６】本発明のコンパクト容器の第二実施例を示す閉状態及び開蓋状態の斜視図。
【図７】本発明のコンパクト容器の第三実施例を示す開蓋状態の斜視図。
【図８】本発明のコンパクト容器の第四実施例を示す閉蓋斜視図。
【図９】本発明のコンパクト容器の第五実施例を示す断面図。
【図１０】本発明のコンパクト容器の第六実施例を示す開蓋状態の斜視図。
【図１１】従来のコンパクト容器を示す断面図。
【符号の説明】
１  容器本体，５  化粧皿，６  環状筒，７  突起，１０  蓋体，２０  中蓋，２１  係合突条，２２  周壁，２３  指掛け部，
【図１】
0003745412.tif 000002
【図２】
0003745412.tif 000003
【図３】
0003745412.tif 000004
【図４】
0003745412.tif 000005
【図５】
0003745412.tif 000006
【図６】
0003745412.tif 000007
【図７】
0003745412.tif 000008
【図８】
0003745412.tif 000009
【図９】
0003745412.tif 000010
【図１０】
0003745412.tif 000011
【図１１】
0003745412.tif 000012